(57)【特許請求の範囲】
【請求項１】
箱の外周を形成する各対の側壁(1,2)から延出した底板(4,5,6,7)を、互いに抑え合うように重ね合わせて固定する箱の底組みロックにおいて、前記底板(4,5,6,7)の両側縁を、箱の稜線に沿うものとし、各底板(4,5,6,7)の一側部に、基端隅部から斜めに延びる谷折線(10)を入れて、その外側に表重片(11)を形成し、少なくとも１枚の底板(7)の他側部に、基端隅部から斜めに延びる谷折線(12)を入れて、その外側に裏重片(13)を形成し、裏重片(13)を有する底板(7)が最後となるように、４枚の底板(4,5,6,7)を周方向に順次重なるように折り曲げ、谷折線(10,12)に沿った屈曲に伴い、底板(4,5,6,7)を箱内に押し込むと共に、最初に折り曲げた底板(4)の表重片(11)と、最後に折り曲げた底板(7)の裏重片(13)とを谷折線(10,12)に沿って起こす方向へ折り曲げつつ、最後に折り曲げた底板(7)の他側部を、最初に折り曲げた底板(4)の一側部の裏側へ押し込んで、底板(4,5,6,7)の折り曲げを復元させることを特徴とする箱の底組みロック。
【請求項２】
前記一対の側壁(1)から延出した底板(4,6)の先端に鉤状の係止切込(14)を入れ、箱の底面中央部でこれらの係止切込(14)を噛み合わせることを特徴とする請求項１に記載の箱の底組みロック。
【請求項３】
前記係止切込(14)の傾斜した入口側に臨んで逃折片(15)を設け、逃折片(15)の基端に斜め方向の谷折線(16)を入れ、逃折片(15)を谷折線(16)に沿って折り曲げつつ、底板(4,6)の係止切込(14)を噛み合わせて、逃折片(15)を復元させることを特徴とする請求項２に記載の箱の底組みロック。
【発明の詳細な説明】
【技術分野】
【０００１】
この発明は、粘着テープやステープルを用いることなく、箱の底面を閉止してロックする構造に関するものである。
【背景技術】
【０００２】
例えば、粘着テープ等を用いることなく箱の底面を閉止する底組みロックとして、下記特許文献１には、図１０に示すように、箱の外周を形成する各対の側壁５１，５２から延出した底板５３，５４を重ね合わせて固定するものが記載されている。
【０００３】
この底組みロックでは、底板５３，５４の一側部に斜めに切断した傾斜縁５３ａ，５４ａが形成され、他側部に基端隅部から斜めに延びる谷折線５３ｂ，５４ｂが入れられて、その外側に裏重片５３ｃ、５４ｃが形成されている。
【０００４】
そして、箱の底面を閉止してロックする際、図１０（ａ）に示すように、一対の底板５３を閉じるように折り曲げ、次に、図１０（ｂ）に示すように、他対の底板５４を閉じるように折り曲げて、底板５３と共に箱内に押し込む。
【０００５】
これに伴い、底板５４は、谷折線５４ｂに沿って裏重片５４ｃが起き上がるように折れ曲がり、図１０（ｃ）に示すように、底板５４の他側部が底板５３の傾斜縁５３ａを越えて裏側へ潜り込むと、裏重片５４ｃの折れ曲がりが復元し、底板５３，５４が互いに抑え合って固定される。
【０００６】
なお、この箱は、側壁５１，５２から延びる短い蓋板５５，５６を有し、箱の使用に際しては、正転させた箱内に野菜等の物品を収納し、蓋板５５，５６を閉じて、蓋板５５に形成された切込片５５ａの抜出穴に蓋板５６の先角部を係合させる。
【先行技術文献】
【特許文献】
【０００７】
【特許文献１】特開２００５−２８０７６５号公報
【発明の概要】
【発明が解決しようとする課題】
【０００８】
しかしながら、上記のような底組みロックでは、底面強度が十分でなく、底抜けのおそれがあるほか、箱を捻ると、箱の外周が変形しやすいという問題がある。
【０００９】
また、箱の製造時に、底板に傾斜縁を形成する加工をフレキソグルアで行なう場合、落丁機能を有するフレキソグルアしか使用できず、さらに、箱のブランクをフレキソグルアで折り重ねて糊付けする際、底板の先端縁が短いため、キッカーで押す部分が限定されるという問題がある。
【００１０】
そこで、この発明は、箱の底面強度及び捻りに対する耐性を向上させると共に、様々なフレキソグルアで容易に加工できるようにすることを課題とする。
【課題を解決するための手段】
【００１１】
上記のような課題を解決するため、この発明は、箱の外周を形成する各対の側壁から延出した底板を、互いに抑え合うように重ね合わせて固定する箱の底組みロックにおいて、前記底板の両側縁を、箱の稜線に沿うものとし、各底板の一側部に、基端隅部から斜めに延びる谷折線を入れて、その外側に表重片を形成し、少なくとも１枚の底板の他側部に、基端隅部から斜めに延びる谷折線を入れて、その外側に裏重片を形成し、裏重片を有する底板が最後となるように、４枚の底板を周方向に順次重なるように折り曲げ、谷折線に沿った屈曲に伴い、底板を箱内に押し込むと共に、最初に折り曲げた底板の表重片と、最後に折り曲げた底板の裏重片とを谷折線に沿って起こす方向へ折り曲げつつ、最後に折り曲げた底板の他側部を、最初に折り曲げた底板の一側部の裏側へ押し込んで、底板の折り曲げを復元させるようにしたのである。
【００１２】
また、前記一対の側壁から延出した底板の先端に鉤状の係止切込を入れ、箱の底面中央部でこれらの係止切込を噛み合わせるようにしたのである。
【００１３】
さらに、前記係止切込の傾斜した入口側に臨んで逃折片を設け、逃折片の基端に斜め方向の谷折線を入れ、逃折片を谷折線に沿って折り曲げつつ、底板の係止切込を噛み合わせて、逃折片を復元させるようにしたのである。
【発明の効果】
【００１４】
この発明に係る箱の底組みロックでは、底板の一側部を斜めに切り落とすことなく、底板を谷折線に沿って屈曲させることにより、周方向に順次折り重ねることができ、底組み状態で、箱内に位置する底板の側縁が側壁の内面に当接して箱の変形を規制するため、優れた底面強度及び捻りに対する耐性を得ることができる。
【００１５】
また、箱の製造に際し、落丁機能のないフレキソグルアを使用することができ、底板の先端縁が長いため、キッカーで押す部分が限定されることもない。
【００１６】
さらに、対向する底板の先端に入れた鉤状の係止切込を噛み合わせることにより、底面強度の向上を図ることができ、底板を撓ませて箱の底面から内容物を抜き取るいたずらを防止することもできる。
【００１７】
そのほか、係止切込の傾斜した入口側に臨む逃折片により、噛合の容易性を損なうことなく、底板の先端に凹部が生じることを極力防止して、製造工程でのキッカーによる送り等に与える影響を回避できる。
【図面の簡単な説明】
【００１８】
【図１】この発明に係る底組みロックを採用した段ボール箱のブランクを示す図
【図２】同上の底組み過程を底面側から示す斜視図
【図３】同上の底組み過程を底面側から示す斜視図
【図４】同上の底組み過程を天面側から示す斜視図
【図５】同上の中央噛合部の噛合過程を箱内側から示す拡大図
【図６】同上の底組み状態を天面側から示す斜視図
【図７】同上の底組み状態を底面側から示す斜視図
【図８】同上の中央噛合部の噛合状態を箱内側から示す拡大図
【図９】同上の中央噛合部の噛合状態を箱外側から示す拡大図
【図１０】（ａ），（ｂ），（ｃ）従来の底組みロックの底組み過程を底面側から順次示す斜視図
【発明を実施するための形態】
【００１９】
以下、この発明に係る底組みロックを有する段ボール箱の実施形態について、図１乃至図９に基づいて説明する。
【００２０】
図１に示すように、この段ボール箱のブランクでは、長面の側壁１と短面の側壁２とが交互に連設され、一方の側壁１の外側に継代片３が連設されている。この側壁１に順次繋がる側壁２、他方の側壁１及び側壁２の下端には底板４，５，６，７が順次連設され、各側壁１，２の上端には、蓋板８，９がそれぞれ連設されている。
【００２１】
底板４，５，６，７及び蓋板８，９は、通常の溝切型段ボール箱と同様、両側縁が箱の稜線に沿うように、長方形状とされている。
【００２２】
ここで、ブランクの上下の輪郭は、コルゲーターで切断されて形成され、箱の稜線となる横方向の罫線もまた、コルゲーターで入れられる。また、その後のフレキソグルアでの加工により、底板４，５，６，７及び蓋板８，９の間の縦方向の溝が入れられると共に、継代片３の輪郭が形成される。
【００２３】
そして、各底板４，５の一側部には、基端隅部から斜めに延びる谷折線１０が入れられて、その外側に表重片１１が形成され、底板７の他側部には、基端隅部から斜めに延びる谷折線１２が入れられて、その外側に裏重片１３が形成されている。
【００２４】
さらに、底板４，６の先端中央部には、係止切込１４が入れられ、係止切込１４は、入口側が傾斜し、その奥側に底板４，６の先端縁に平行な段部と、これより入口側及び奥側へ垂直に延びる縦切部とを設けた鉤状とされている。
【００２５】
係止切込１４をこのような形状としておくと、ブランクの輪郭に対するフレキソグルアでの加工位置が所定の位置から多少ずれていても、後述のように、底板４，６の係止切込１４を支障なく噛み合わせることができる。
【００２６】
また、係止切込１４の傾斜した入口寄り部分の一側には、逃折片１５が設けられ、逃折片１５の基端には、斜め方向に延びる谷折線１６が入れられている。
【００２７】
なお、谷折線１０，１２，１６は、段ボールの裏面側から入れた押罫である箱の稜線とは逆方向へ折れ曲がるように、切目を有するリード罫とされているが、段ボールの表面側から入れた押罫としてもよい。
【００２８】
また、底板５，６の先端には、谷折線１０が達する部分に、ブランクの輪郭に対するフレキソグルアでの加工位置のずれを確認するため、検査切込１７が入れておくのがよい。
【００２９】
このようなブランクから成る段ボール箱は、製造に際し、フレキソグルアにより、側壁１，２の境界の罫線に沿って折り重ね、継代片３を反対側の側壁２の裏面に貼り付けた偏平な折畳状態とし、使用者へ配送され、保管される。
【００３０】
一方、この段ボール箱を使用する際には、図２に示すように、４枚の底板４，５，６，７を周方向に順次重なるように折り曲げる。
【００３１】
次に、図３に示すように、谷折線１０，１２に沿った屈曲に伴い、底板４，５，６，７を箱内に押し込むと共に、最初に折り曲げた底板４の表重片１１と、最後に折り曲げた底板７の裏重片１３とを谷折線１０，１２に沿って起こす方向へ折り曲げ、この表重片１１の裏面に裏重片１３を摺接させつつ、底板７をさらに箱内に押し込む。
【００３２】
そして、図４に示すように、最後に折り曲げた底板７の他側部を、最初に折り曲げた底板４の一側部の裏側へ完全に押し込むと、裏重片１３の折り曲げが復元する。
【００３３】
その後、図５に示すように、逃折片１５を谷折線１６に沿って押し広げるように折り曲げて、図６及び図７に示すように、底板４，５，６，７を水平方向へ戻すと、表重片１１の折り曲げが復元し、箱の底面中央部では、図８及び図９に示すように、底板４，６の係止切込１４が噛み合って、逃折片１５の折り曲げが復元する。
【００３４】
上記のような箱の底組みロックでは、底板４，５，６，７の一側部を斜めに切り落とすことなく、底板４，５，６，７を、谷折線１０，１２に沿って屈曲させることにより、周方向に順次折り重ねることができる。
【００３５】
そして、この底組み状態で、箱内に位置する底板４，５，６，７の側縁が側壁１，２の内面に当接して箱の変形を規制するため、優れた底面強度及び捻りに対する耐性を得ることができる。
【００３６】
また、箱の製造に際し、落丁機能のないフレキソグルアを使用することができるので、使用するフレキソグルアが限定されることがなく、底板４，５，６，７の先端縁が長いため、キッカーで押す部分が限定されることもない。
【００３７】
さらに、対向する底板４，６の先端に入れた鉤状の係止切込１４を噛み合わせることにより、底面強度の向上を図ることができ、底板４，５，６，７を撓ませて箱の底面から内容物を抜き取るいたずらを防止することもできる。
【００３８】
そのほか、係止切込１４の傾斜した入口側に臨む逃折片１５により、噛合の容易性を損なうことなく、底板４，６の先端に凹部が生じることを極力防止して、製造工程でのキッカーによる送り等に与える影響を回避できる。
【００３９】
また、ダイカッタでの抜型による加工が必要なワンタッチ底の段ボール箱と比較して、工程を簡略化でき、上述した従来の底組みロックと比較して、材料となる段ボールの等級を下げても同等の底面強度が得られることから、コストダウンを図ることができる。
【００４０】
なお、上記実施形態では、１枚の底板７にのみ谷折線１２及び裏重片１３を設けたものを例示したが、これに加えて、他の底板４，５，６に谷折線１２及び裏重片１３を設けてもよい。しかしながら、全ての底板４，５，６，７に谷折線１２及び裏重片１３を設けると、捻りに対する耐性が低下するので、２枚程度に留めておくのが好ましい。
【符号の説明】
【００４１】
１，２  側壁
３  継代片
４，５，６，７  底板
８，９  蓋板
１０  谷折線
１１  表重片
１２  谷折線
１３  裏重片
１４  係止切込
１５  逃折片
１６  谷折線
１７  検査切込
【図１】
0005475600.tif 000002
【図２】
0005475600.tif 000003
【図３】
0005475600.tif 000004
【図４】
0005475600.tif 000005
【図５】
0005475600.tif 000006
【図６】
0005475600.tif 000007
【図７】
0005475600.tif 000008
【図８】
0005475600.tif 000009
【図９】
0005475600.tif 000010
【図１０】
0005475600.tif 000011